(57)【特許請求の範囲】
【請求項１】
座部と背凭れ部を有するシートであって、
背凭れ部のシートバックフレームと、
背凭れ部のクッション部と、
前記背凭れ部のクッション部の背面に設けられ、可撓性のある背面パネルと、
前記背面パネルを前方側に押圧して、前記背面パネルを前方に凸に湾曲させる押圧部材と、
前記押圧部材を前記背面パネルに対し前後に揺動させる揺動機構と、を有し、
前記押圧部材は、前記背面パネルを押圧する複数の押圧部を有し、前記揺動機構により前記背面パネル側に揺動し前記背面パネルに対する押圧力が大きくなるときに前記背面パネルを押圧する押圧部の数が増加するように構成され、
前記背面パネルの上端と下端は、前記シートバックフレームに固定されている、シート。
【請求項２】
前記押圧部材は、背凭れ部の左右方向に水平に延設し前記揺動機構により所定の揺動軸周りに揺動する押圧部となる複数の水平バーを有する、請求項１に記載のシート。
【請求項３】
前記複数の水平バーは、前記揺動軸からの距離が互いに異なり、なおかつ前記揺動軸周りの揺動方向に前後にずれている、請求項２に記載のシート。
【請求項４】
前記押圧部材は、前記背面パネルの左右方向に延設する複数の水平バーが直列的に配置されている、請求項２又は３に記載のシート。
【請求項５】
前記複数の水平バーは、前記背面パネルの左右方向の両端付近に配置された第１の水平バーと、前記背面パネルの左右方向の中央に配置された第２の水平バーからなる、請求項４に記載のシート。
【請求項６】
前記押圧部材は、前記背面パネルの左右方向に延設する複数の水平バーが並列的に配置されている、請求項２又は３に記載のシート。
【請求項７】
前記押圧部材の押圧部には、緩衝材が設けられている、請求項１〜６のいずれかに記載のシート。
【発明の詳細な説明】
【技術分野】
【０００１】
本出願は、２０１６年９月３０日に出願された日本特許出願番号２０１６‐１９３２８１に基づくもので、ここにその記載内容を援用する。【０００２】
本発明は、座部と背凭れ部を有するシートに関する。
【背景技術】
【０００３】
例えば車両用シートには、着座者の背部（腰椎、胸椎、骨盤）を押圧・支持するサポート機能を備えたものがある（特許文献１参照）。従来のこの種の車両用シートは、腰椎部と骨盤部をそれぞれ左右２か所で押圧・支持する機構ユニットを備え、それをアクチュエータで駆動する構成となっていた。
【先行技術文献】
【特許文献】
【０００４】
【特許文献１】特表２０１３−５０４４６３号公報
【発明の概要】
【発明が解決しようとする課題】
【０００５】
ところで、着座者は、例えば背中を十分に反り背中に十分な圧力を加えるために押圧量を大きく、高い押圧力で背中を押圧したい場合もある。しかしながら、上述の車両用シートのサポート機能は、押圧する部分が単一の線材になっており、押圧力を上げると、一部に圧力が集中し、長時間の使用により着座者の血流に影響してしびれたり、椎間板の内圧が高くなるなどするため、高い押圧力での長時間の使用に適していなかった。【０００６】
本出願はかかる点に鑑みてなされたものであり、着座者の背中を高い押圧力で押圧する場合の長時間の使用にも適したサポート機能を備えたシートを提供することをその目的の一つとする。
【課題を解決するための手段】
【０００７】
本発明者らは、鋭意検討した結果、背面パネルを押圧する押圧部材が、揺動機構により前記背面パネル側に揺動し前記背面パネルに対する押圧力が大きくなるときに前記背面パネルを押圧する押圧部の数が増加するように構成されていることにより、上記問題を解決できることを見出し、本発明を完成するに至った。【０００８】
すなわち、本発明は以下の態様を含む。
（１）座部と背凭れ部を有するシートであって、背凭れ部のクッション部の背面に設置され、可撓性のある背面パネルと、前記背面パネルを前方側に押圧して、前記背面パネルを前方に凸に湾曲させる押圧部材と、前記押圧部材を前記背面パネルに対し前後に揺動させる揺動機構と、を有し、前記押圧部材は、前記背面パネルを押圧する複数の押圧部を有し、前記揺動機構により前記背面パネル側に揺動し前記背面パネルに対する押圧力が大きくなるときに前記背面パネルを押圧する押圧部の数が増加するように構成されている、シート。
（２）前記押圧部材は、背凭れ部の左右方向に水平に延設し前記揺動機構により所定の揺動軸周りに揺動する押圧部となる複数の水平バーを有する、（１）に記載のシート。
（３）前記複数の水平バーは、前記揺動軸からの距離が互いに異なり、なおかつ前記揺動軸周りの揺動方向に前後にずれている、（２）に記載のシート。
（４）前記押圧部材は、前記背面パネルの左右方向に延設する複数の水平バーが直列的に配置されている、（２）又は（３）に記載のシート。
（５）前記複数の水平バーは、前記背面パネルの左右方向の両端付近に配置された第１の水平バーと、前記背面パネルの左右方向の中央に配置された第２の水平バーからなる、（４）に記載のシート。
（６）前記押圧部材は、前記背面パネルの左右方向に延設する複数の水平バーが並列的に配置されている、（２）又は（３）に記載のシート。
（７）前記押圧部材の押圧部には、緩衝材が設けられている、（１）〜（６）のいずれかに記載のシート。
【発明の効果】
【０００９】
本発明によれば、着座者の背中を高い押圧力で押圧する場合の使用にも適したサポート機能を備えたシートを提供することができる。
【図面の簡単な説明】
【００１０】
【図１】シートの構成の一例を示す斜視図である。
【図２】シートバックフレームの構成の概略を示す説明図である。
【図３】図１のシートのＸ−Ｘ断面の概略図である。
【図４】背面パネルを取り外した状態のシートバックフレームの構成の概略を示す説明図である。
【図５】揺動機構の構成の概略を示す説明図である。
【図６】揺動機構の押圧部材が揺動する長穴を示す説明図である。
【図７】第１の水平バーが背面パネルを押圧した状態を示す説明図である。
【図８】第１の水平バー及び第２の水平バーが背面パネルを押圧した状態を示す説明図である。
【図９】他の構成の押圧部材を有するシートバックフレームの説明図である。
【図１０】他の構成の押圧部材を有するシートバックフレームの説明図である。
【図１１】３つの水平バーを有する押圧部材を備えたシートバックフレームの説明図である。
【図１２】図１１のシートの第１の水平バーが背面パネルを押圧した状態を示す説明図である。
【図１３】図１１のシートの第１乃至第３の水平バーが背面パネルを押圧した状態を示す説明図である。
【図１４】緩衝材を有する押圧部材を備えたシートバックフレームの説明図である。
【発明を実施するための形態】
【００１１】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１２】
図１はシート１の構成の一例を示す。例えばシート１は、着座者が座る座部１０と、着座者が背中を凭れかける背凭れ部１１と、ヘッドレスト１２を有している。
【００１３】
背凭れ部１１は、前面に着座者の背面を受けるシートカバー２０を備えている。また背凭れ部１１は、図２に示すように内部にシートバックフレーム２１を備えている。
【００１４】
例えば図３に示すようにシートカバー２０は、背凭れ部１１の表面を覆うトリムカバー３０と、その内側の厚みのあるクッション部（パッド部）３１を有している。クッション部３１は、例えばウレタンにより構成されている。
【００１５】
図２に示すようにシートバックフレーム２１は、例えば左右の一対の側面板４０と、左右の側面板４０の下端を連結する下端連結部４１と、左右の側面板４０の上端を連結する上端連結部４２、左右の側面板４０の上部を連結する上部連結部４３等を有している。また、シートバックフレーム２１の上部であって上部連結部４３より下には、左右の側面板４０を連結する矩形波状のスプリング４４が設けられている。
【００１６】
図２及び図３に示すようにシートバックフレーム２１の内側には、シートカバー２０のクッション部３１の背面を受ける背面パネル５０が設けられている。背面パネル５０は、例えば樹脂製の方形状を有している。背面パネル５０は、薄い板状に形成されており、可撓性を有している。図３に示すように背面パネル５０は、クッション部３１の裏面に沿って設置されている。
【００１７】
背面パネル５０の上端は、フック５１によりスプリング４４に固定されている。背面パネル５０の下端は、例えば下端連結部４１に固定されている。
【００１８】
背面パネル５０の裏面側には、背面パネル５０を押圧可能な押圧部材６０が設けられている。押圧部材６０は、揺動機構６１により背面パネル５０に対し前後に揺動可能である。
【００１９】
押圧部材６０は、図４に示すように複数箇所で屈曲した丸棒材により形成され、一方の側面板４０から他方の側面板４０まで左右方向に延設している。押圧部材６０は、背面パネル５０の左右端部付近を押圧する第１の水平バー７０と、背面パネル５０の中央付近を押圧する第２の水平バー７１を有している。第１の水平バー７０と第２の水平バー７１は、連結部７２により連結され、第２の水平バー７１は、第１の水平バー７０に対し凸状に突出している。第１の水平バー７０と第２の水平バー７１は、揺動機構６１の後述する揺動軸Ａからの距離が互いに異なり、第２の水平バー７１は、第１の水平バー７０に対し揺動軸Ａ周りの揺動方向の後方側に位置している。第１の水平バー７０の左右方向の外側の両端は、連結部７３、７４によって側面板４０に回転自在に固定されている。なお、本明細書における「水平」には、完全に水平のもののみならず、仰俯角が５°以下のおよそ水平のものも含まれる。
【００２０】
一方の連結部７３は、側面板４０の揺動軸Ａに回転自在に軸支されている。他方の連結部７４は、揺動機構６１に連動している。
【００２１】
揺動機構６１は、例えば図５に示すように駆動源８０と、駆動源８０の動力を押圧部材６０に伝達する伝達機構８１を有している。
【００２２】
駆動源８０は、例えば電動モータであり、側面板４０の外側の側面に設けられている。なお、揺動機構６１は、駆動源８０を備えていなくてもよく、例えば駆動源８０に代えてレバーを設けて手動で押圧部材６０を揺動させるようにしてもよい。
【００２３】
伝達機構８１は、例えば側面板４０の内側の側面に設けられている。伝達機構８１は、例えば側面板４０に固定されたブラケット９０を有し、ブラケット９０内に第１の歯車９１、第２の歯車９２及び第３の歯車９３を有している。第１の歯車９１は、側面板４０を外側から内側に貫通する左右方向（図５の左右方向）に向いた駆動源８０の駆動軸９４に固定され、駆動軸９４の回転により回転する。第２の歯車９２は、第１の歯車９１と噛み合い、左右方向に向いてブラケット９０に軸支された回転軸９５周りに回転する。第３の歯車９３は、第２の歯車９２と噛み合い、左右方向に向いてブラケット９０に軸支された回転軸９６周りに回転する。ブラケット９０には、図６に示すように第３の歯車９３の回転軸９６周りの円弧状の長穴９７が形成され、押圧部材６０の連結部７４が、その長穴９７に挿入され、第３の歯車９３に固定されている。図５に示すように押圧部材６０の反対側の連結部７３は、軸受け９８を介して側面板４０に対し回転自在に固定されている。この連結部７３の揺動軸Ａは、第３の歯車９３の回転軸９６の位置に対応している。
【００２４】
かかる揺動機構６１の構成により、駆動源８０の駆動軸９４が回転すると、第１の歯車９１、第２の歯車９２及び第３の歯車９３が回転し、それによって押圧部材６０が揺動軸Ａ（回転軸９６）周りに揺動する。そのときの揺動範囲（角度）は、長穴９７によって規定されている。
【００２５】
以上のように構成されたシート１を用いて着座者の背中を押圧、或いは支持する際には、着座者の操作により、揺動機構６１を電動により作動させ、図７に示すように押圧部材６０を揺動軸Ａ周りに背面パネル５０側に揺動させる。このとき、先ず押圧部材６０の第１の水平バー７０が背面パネル５０に接触し押圧し、背面パネル５０が前方に凸に湾曲する。このときは、背面パネル５０にかかる押圧力は小さく、背面パネル５０の湾曲も小さいため、シートカバー２０を通じて着座者の背中にかかる押圧力が小さく、押圧幅（押圧量）も小さくなる。
【００２６】
次に着座者の操作により、揺動機構６１により押圧部材６０をさらに背面パネル５０側に揺動させると、図８に示すように押圧部材６０の第１の水平バー７０に加えて第２の水平バー７１が背面パネル５０に接触し押圧する。このとき、第２の水平バー７１は、背面パネル５０における第１の水平バー７０よりも上方の位置を押圧する。これにより、背面パネル５０が広い領域で大きく前方に凸に湾曲し、着座者の背中にかかる押圧力が大きくなり、また押圧幅も大きくなる。
【００２７】
着座者の背中の押圧を解除、或いは弱める際には、駆動源８０の駆動軸９４を逆回転させ、押圧部材６０を背面パネル５０から離れる方向に揺動させる。
【００２８】
本実施の形態によれば、押圧部材６０が、背面パネル５０を押圧する複数の押圧部（水平バー７０、７１）を有し、揺動機構６１により背面パネル５０側に揺動し背面パネル５０に対する押圧力が大きくなるときに背面パネル５０を押圧する押圧部の数が増加するように構成されている。このため、着座者が背中を強く（大きい押圧幅で高い押圧力で）押圧したい場合に、背面パネル５０がより多くの押圧部で押圧され、押圧力が分散されるので、着座者の血流に影響してしびれたり椎間板の内圧が高くなることがない。この結果、シート１は、着座者の背中を高い押圧力で押圧する場合の使用にも適したサポート機能を有し、高い押圧力での長時間の使用が可能となる。
【００２９】
押圧部材６０は、背凭れ部１１の左右方向に水平に延設し揺動機構６１により所定の揺動軸Ａ周りに揺動する２つの水平バー７０、７１を有し、これらの水平バー７０、７１は、揺動機構６１により背面パネル５０に向けて揺動した際に異なるタイミングで背面パネル５０の押圧を開始する。よって、着座者が背中を弱く（小さい押圧幅で低い押圧力で）押圧したい場合には、第１の水平バー７０だけを用いて押圧力を集中させて着座者の背中を効果的に押すことができ、着座者が背中を強く押圧したい場合には、第１の水平バー７０と第２の水平バー７１の両方を用いて高い押圧力で押圧力を分散させながら着座者の背中を適切に押すことができる。
【００３０】
水平バー７０、７１は、揺動軸Ａからの距離が互いに異なり、なおかつ揺動軸Ａ周りの揺動方向に前後にずれているので、揺動した際の背面パネル５０への押圧のタイミングを簡単な構成で適切にずらすことができる。
【００３１】
押圧部材６０は、背面パネル５０の左右方向に延設する水平バー７０、７１が直列的に配置されているので、押圧部材６０をコンパクト化し、押圧部材６０を設置するためのスペースを小さくすることができる。
【００３２】
押圧部材６０が、背面パネル５０の左右方向の両端付近に配置された第１の水平バー７０と、背面パネル５０の左右方向の中央に配置された第２の水平バー７１からなるので、背中の左右方向の端部付近を押すタイミングと背中の背骨付近を押すタイミングをずらすことができる。
【００３３】
ところで、上記実施の形態において、背面パネル５０に対し第１の水平バー７０が第２の水平バー７１よりも先に接触するようにしていたが、逆であってもよい。かかる場合、図９に示すように第２の水平バー７１が、第１の水平バー７０よりも揺動軸Ａに近く凹状に配置され、なおかつ第１の水平バー７０よりも揺動軸Ａ周りの揺動方向の前方にずれていてもよい。
【００３４】
また、押圧部材６０は、背面パネル５０の左右方向に延設する複数の水平バーが並列的に配置され、複数の水平バーは、揺動機構６１により背面パネル５０に向けて揺動した際に異なるタイミングで背面パネル５０の押圧を開始するように構成されていてもよい。例えば図１０に示すように第１の水平バー７０と第２の水平バー７１が同じ長さで平行に接続され、第２の水平バー７１が第１の水平バー７０よりも揺動軸Ａ周りの揺動方向の後方側にずれていてもよい。
【００３５】
さらに、以上の実施の形態では、押圧部材６０の水平バーが２つであったが、３つ以上であってもよい。例えば図１１に示すように第１の水平バー７０及び第２の水平バー７１に加えて、第３の水平バー１００を備えていてもよい。かかる場合、第１の水平バー７０、第２の水平バー７１及び第３の水平バー１００がこの順で揺動軸Ａから遠くなるように配置され、第２の水平バー７１が第１の水平バー７０よりも揺動軸Ａ周りの揺動方向の後方側にずれ、第３の水平バー１００が第２の水平バー７１よりも揺動軸Ａ周りの揺動方向の後方側にずれている。
【００３６】
この場合、図１２に示すように揺動機構６１により押圧部材６０を揺動軸Ａ周りに背面パネル５０側に揺動させると、先ず第１の水平バー７０が背面パネル５０に接触し押圧し、背面パネル５０が前方に凸に湾曲する。続いて揺動機構６１により押圧部材６０を背面パネル５０側に揺動させると、第１の水平バー７０に加えて第２の水平バー７１が背面パネル５０に接触し押圧し、背面パネル５０がより大きく湾曲する。さらに、揺動機構６１により押圧部材６０を背面パネル５０側に揺動させると、図１３に示すように第１の水平バー７０、第２の水平バー７１に加えて第３の水平バー１００が背面パネル５０に接触し押圧し、背面パネル５０がより大きく湾曲する。かかる例によれば、着座者の背中をより強く押圧できるうえ、その押圧力を分散させることができる。
【００３７】
以上の実施の形態において、押圧部材６０の押圧部、例えば図１４に示すように水平バー７０、７１にクッション材などからなる緩衝材１１０が設けられていてもよい。かかる場合、水平バー７０、７１から背面パネル５０にかかる圧力を緩衝できる。
【００３８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３９】
例えば上記実施の形態において水平バーの数は、２つか３つであったが、４つ以上であってもよい。水平バーの形状は丸棒であったがこれに限られない。押圧部材６０における押圧部の配置や数、形状等は、上記水平バーに限られない。さらに押圧部材６０全体の形状、構造もこれに限られない。揺動機構６１の構成も上記実施の形態に限られるものではない。さらに、シートは、車両用以外のシートにも適用してもよい。
【産業上の利用可能性】
【００４０】
本発明は、着座者の背中を高い押圧力で押圧する場合の使用にも適したサポート機能を備えたシートを提供する際に有用である。
【符号の説明】
【００４１】
１  シート
１１  背凭れ部
２０  シートカバー
２１  シートバックフレーム
３１  クッション部
５０  背面パネル
６０  押圧部材
６１  揺動機構
７０、７１  水平バー
Ａ  揺動軸
【図１】
0006800234.tif 000002
【図２】
0006800234.tif 000003
【図３】
0006800234.tif 000004
【図４】
0006800234.tif 000005
【図５】
0006800234.tif 000006
【図６】
0006800234.tif 000007
【図７】
0006800234.tif 000008
【図８】
0006800234.tif 000009
【図９】
0006800234.tif 000010
【図１０】
0006800234.tif 000011
【図１１】
0006800234.tif 000012
【図１２】
0006800234.tif 000013
【図１３】
0006800234.tif 000014
【図１４】
0006800234.tif 000015